(57)【要約】【課題】一対の扉体が設けられても、止水性能を向上できる止水扉を提供する。【解決手段】止水扉１は、構造物の開口に設けられる枠体４と、枠体４に回動可能に支持され開口を開閉する一対の扉体２，３と、扉体２，３が開口を閉塞させる閉塞位置にある状態で、扉体２，３が枠体４に押し付けられる押付方向Ｐにおいて枠体４と扉体２，３との間に介在する枠状の枠状止水部材６０と、当たり部５０と、召し合わせ止水部材７０と、補助止水部材８０とを備える。当たり部５０は、一対の扉体２，３のうちの子扉２の先端面２ｄに設けられている。召し合わせ止水部材７０は、一対の扉体２，３のうちの親扉３の先端面３ｄに設けられている。補助止水部材８０は、枠状止水部材６０に取り付けられて閉塞位置にある状態で枠状止水部材６０と当たり部５０と召し合わせ止水部材７０との間に介在する。【選択図】図３
2015175088.tif 000002
【特許請求の範囲】
【請求項１】
構造物の屋外空間側と屋内空間側とを連通する開口に設けられる枠体と、
前記枠体に回動可能に支持され前記開口を開閉する一対の扉体と、
前記枠体に取り付けられ、かつ前記一対の扉体が前記開口を閉塞させる閉塞位置にある状態で、前記扉体が前記枠体に押し付けられる押付方向において当該枠体と当該扉体との間に介在する枠状の枠状止水部材と、
前記一対の扉体のうち前記開口を閉塞する際に先に前記開口を閉塞するように回動される一方の扉体の他方の扉体寄りの縁に設けられ、かつ前記一対の扉体が前記開口を閉塞させる閉塞位置にある状態で前記枠状止水部材に重ねられる当たり部と、
前記一対の扉体が前記開口を閉塞させる閉塞位置にある状態で前記枠状止水部材と前記当たり部との双方に重ねられる召し合わせ止水部材と、を備えた止水扉であって、
前記枠状止水部材と前記召し合わせ止水部材とのうちの少なくとも一方に取り付けられ、かつ前記一対の扉体が前記開口を閉塞させる閉塞位置にある状態で、前記枠状止水部材と前記当たり部と前記召し合わせ止水部材との間に介在する補助止水部材を備えることを特徴とする、
止水扉。
【請求項２】
前記補助止水部材が、前記枠状止水部材に取り付けられていることを特徴とする、
請求項１記載の止水扉。
【請求項３】
前記補助止水部材が、前記召し合わせ止水部材に取り付けられていることを特徴とする、
請求項１記載の止水扉。
【請求項４】
前記枠状止水部材と前記召し合わせ止水部材は、弾性を有するゴムで構成され、
前記補助止水部材は、前記枠状止水部材と前記召し合わせ止水部材との双方よりも柔らかい弾性を有するゴムで構成されていることを特徴とする、
請求項１〜３のうちいずれか一項に記載の止水扉。
【発明の詳細な説明】
【技術分野】
【０００１】
本発明は、止水扉に関する。
【背景技術】
【０００２】
従来の止水扉として、例えば、特許文献１には、環状の枠部材と、この枠部材の開口を塞止する扉部材とを備え、この扉部材にて開口を塞止することによって、開口からの浸水を阻止する止水扉装置が開示されている。この止水扉装置は、枠部材に、扉部材の周縁部を受ける環状の受部が設けてあり、この受部の適宜位置に扉部材に当接させる枠側凸部が開口に倣って延設してある。そして、この止水扉装置は、受部の枠側凸部の当接部分に、弾性材を用いてなる止水部材が延設してある。
【０００３】
また、止水扉として、扉部材を一対備えた止水扉装置も用いられている。この種の止水扉装置では、一対の扉部材のうち一方の扉部材を閉塞した後、他方の扉部材を閉塞する。そして、前述した止水扉装置では、他方の扉部材の一方の扉部材寄りの縁に前記止水部材と前記一方の扉部材の縁とに重なって、これらの間を止水する扉側止水部材を備えている。
【先行技術文献】
【特許文献】
【０００４】
【特許文献１】特開２００７−０２３５４０号公報
【発明の概要】
【発明が解決しようとする課題】
【０００５】
ところで、上述の一対の扉部材を備えた止水扉装置は、扉側止水部材と枠部材に設けられた止水部材と一方の扉部材との間に隙間が生じやすく、止水性能の向上が望まれている。
【０００６】
本発明は、上記の事情に鑑みてなされたものであって、止水性能の向上を図ることができる止水扉を提供することを目的とする。
【課題を解決するための手段】
【０００７】
上記目的を達成するために、本発明に係る止水扉は、構造物の屋外空間側と屋内空間側とを連通する開口に設けられる枠体と、前記枠体に回動可能に支持され前記開口を開閉する一対の扉体と、前記枠体に取り付けられ、かつ前記一対の扉体が前記開口を閉塞させる閉塞位置にある状態で、前記扉体が前記枠体に押し付けられる押付方向において当該枠体と当該扉体との間に介在する枠状の枠状止水部材と、前記一対の扉体のうち前記開口を閉塞する際に先に前記開口を閉塞するように回動される一方の扉体の他方の扉体寄りの縁に設けられ、かつ前記一対の扉体が前記開口を閉塞させる閉塞位置にある状態で前記枠状止水部材に重ねられる当たり部と、前記一対の扉体が前記開口を閉塞させる閉塞位置にある状態で前記枠状止水部材と前記当たり部との双方に重ねられる召し合わせ止水部材と、を備えた止水扉であって、前記枠状止水部材と前記召し合わせ止水部材とのうちの少なくとも一方に取り付けられ、かつ前記一対の扉体が前記開口を閉塞させる閉塞位置にある状態で、前記枠状止水部材と前記当たり部と前記召し合わせ止水部材との間に介在する補助止水部材を備えることを特徴とする。
【０００８】
上記止水扉は、一対の扉体が閉塞位置にある状態で、枠状止水部材と当たり部と召し合わせ止水部材との間に介在する補助止水部材を備えているので、一対の扉体が閉塞位置にある状態で、枠状止水部材と当たり部と召し合わせ止水部材との間に隙間が生じることを抑制することができる。したがって、止水性能を向上することができる。
【０００９】
また、上記止水扉では、前記補助止水部材が、前記枠状止水部材に取り付けられているものとすることができる。
【００１０】
この場合、止水扉は、補助止水部材を枠状止水部材に設けているので、一対の扉体が開口を閉塞する際に、補助止水部材上に当たり部及び召し合わせ止水部材が重なることとなる。このために、補助止水部材が枠状止水部材と当たり部と召し合わせ止水部材との間に隙間が生じることを抑制することができる。
【００１１】
また、上記止水扉では、前記補助止水部材が、前記召し合わせ止水部材に取り付けられているものとすることができる。
【００１２】
この場合、止水扉は、補助止水部材を召し合わせ止水部材に設けているので、一対の扉体が開口を閉塞する際に、補助止水部材が枠状止水部材及び当たり部上に重ねられることとなる。このために、補助止水部材が枠状止水部材と当たり部と召し合わせ止水部材との間に隙間が生じることを抑制することができる。
【００１３】
また、上記止水扉では、前記枠状止水部材と前記召し合わせ止水部材は、弾性を有するゴムで構成され、前記補助止水部材は、前記枠状止水部材と前記召し合わせ止水部材との双方よりも柔らかい弾性を有するゴムで構成されているものとすることができる。
【００１４】
この場合、止水扉は、補助止水部材が枠状止水部材よりも変形しやすいので、枠状止水部材と当たり部と召し合わせ止水部材との間に隙間が生じることをより抑制することができる。
【発明の効果】
【００１５】
本発明に係る止水扉は、一対の扉体が設けられても、止水性能を向上できる、という効果を奏する。
【図面の簡単な説明】
【００１６】
【図１】図１は、実施形態に係る止水扉の概略構成を表す模式的な正面図である。
【図２】図２は、図１に示すＡ−Ａ断面図である。
【図３】図３は、実施形態に係る止水扉の子扉と親扉との召し合わせ部分の上下両端部の断面を拡大して示す断面図である。
【図４】図４は、図３中のＩＶ部を拡大して示す断面図である。
【図５】図５は、実施形態に係る止水扉の子扉と親扉が開放位置にある状態の補助止水部材などを示す断面図である。
【図６】図６は、図５に示された止水扉の子扉が閉塞位置にある状態の補助止水部材などを示す断面図である。
【図７】図７は、図６中のＶＩＩ部を拡大して示す断面図である。
【図８】図８は、実施形態の変形例に係る止水扉の補助止水部材などを示す断面図である。
【発明を実施するための形態】
【００１７】
以下に、本発明に係る実施形態を図面に基づいて詳細に説明する。なお、この実施形態によりこの発明が限定されるものではない。また、下記実施形態における構成要素には、当業者が置換可能かつ容易なもの、或いは実質的に同一のものが含まれる。
【００１８】
［実施形態］
図１は、実施形態に係る止水扉の概略構成を表す模式的な正面図である。図２は、図１に示すＡ−Ａ断面図である。図３は、実施形態に係る止水扉の子扉と親扉との召し合わせ部分の上下両端部の断面を拡大して示す断面図である。図４は、図３中のＩＶ部を拡大して示す断面図である。
【００１９】
図１及び図２に示す本実施形態の止水扉１は、ビル、家屋、倉庫等の建築物を含む構造物Ｓに形成された開口Ｏを開放あるいは閉塞するものである。開口Ｏは、構造物Ｓの第１空間側（例えば、屋外空間側）と第２空間側（例えば、屋内空間側）とを連通するように形成される。本実施形態の止水扉１は、構造物Ｓの内部に水が浸入することを防止する、いわゆる止水扉である。本明細書中、水が浸入する可能性がある場合に、上流側を屋外空間側、下流側（言い換えれば、水の浸入を阻止や抑制したい側）を屋内空間側という場合がある。なお、屋外や屋内とは水が浸入する可能性がある場合の上流や下流を意味する便宜上の文言であり、本発明は、例えば廊下等の通路のような家屋や部屋等の概念が必ずしも明確にならない場所に設置された止水扉に対して適用できる。本実施形態の止水扉１は、枠体４と、一対の扉体２，３と、枠状止水部材６０と、召し合わせ止水部材７０と、補助止水部材８０などを備える。
【００２０】
なお、以下の説明では、一対の扉体２，３を閉塞位置に回動させる際の回動方向を「閉塞時回動方向」といい、一対の扉体２，３を開放位置に回動させる際の回動方向を「開放時回動方向」という場合がある。また、閉塞時回動方向は、典型的には、開口Ｏを介して一方の空間側（屋外空間側）から他方の空間側（屋内空間側）へ水が浸入する可能性がある場合に、水が流動する可能性がある方向に沿った方向である。つまり、水の流動方向は、典型的には、開放時回動方向側が上流側、閉塞時回動方向側が下流側となる。また、水平方向に沿った方向であって後述の一対の縦枠部材４１が向かい合う方向を「扉幅方向」という場合がある。
【００２１】
枠体４は、構造物Ｓの開口Ｏに設けられる。枠体４は、一対の縦枠部材４１と、一対の上枠部材４２及び下枠部材４３とを含んで構成される四方枠タイプとなっている。
【００２２】
一対の縦枠部材４１は、それぞれ開口Ｏの鉛直方向に沿った端面に１つずつ設けられる。一対の縦枠部材４１は、水平方向において開口Ｏの空間部分を挟んで対向し、扉幅方向において左右一対で設けられる。一対の縦枠部材４１は、鉛直方向に沿って設けられる。
【００２３】
上枠部材４２及び下枠部材４３は、それぞれ開口Ｏの水平方向に沿った端面に１つずつ設けられる。ここでは、上枠部材４２は、開口Ｏの水平方向に沿った端面であって鉛直方向上側の端面に設けられる。下枠部材４３は、開口Ｏの水平方向に沿った端面であって鉛直方向下側の端面に設けられる。上枠部材４２及び下枠部材４３は、鉛直方向において開口Ｏの空間部分を挟んで対向する。上枠部材４２及び下枠部材４３は、水平方向に沿って設けられる。
【００２４】
枠体４は、開口Ｏの内面側にて一対の縦枠部材４１の端部と一対の上枠部材４２、下枠部材４３の端部とが連結されており、全体として開口Ｏに対応した環状のロの字型形状に構成される。枠体４は、開口Ｏの周囲を囲むように構造物Ｓに固定的に取り付けられている。一対の縦枠部材４１、上枠部材４２、下枠部材４３は、開口Ｏの各端面との間がコーキング材等により水密状態とされる。
【００２５】
さらに、枠体４は、各縦枠部材４１、上枠部材４２、下枠部材４３における開口Ｏの空間部分側に、枠状止水部材６０を保持するための保持部４４を有する。保持部４４は、枠体４の各縦枠部材４１、上枠部材４２、下枠部材４３に沿って、全体として環状のロの字型形状に構成される。保持部４４は、枠体４の各縦枠部材４１、上枠部材４２、下枠部材４３において、開放時回動方向側、すなわち、屋外空間側に開口するように凹部状に形成され、当該凹部内に枠状止水部材６０を収容、保持することができる。
【００２６】
扉体２，３は、枠体４に回動可能に支持され開口Ｏを開閉する開閉体である。すなわち、扉体２，３は、開口Ｏを開放あるいは閉塞する。本実施形態の扉体２，３は、一方の扉体としての子扉２と、他方の扉体としての親扉３とを有する、所謂親子扉式の両開扉である。なお、親扉３、子扉２との表現は、説明を分かりやすくするためであって、各扉２，３の開口Ｏの幅方向の幅長の大小は問わず、任意である。
【００２７】
子扉２は、枠体４に回動可能に支持され開口Ｏの一部を開閉し、親扉３は、枠体４に回動可能に支持され開口Ｏの残りの他部を開閉する。子扉２及び親扉３は、図２に示すように、ともに框、縦桟、横桟等の骨格部材５５を組んだものに対して両面から板状部材５６を組み付けることで、全体として矩形パネル状の部材として構成される。子扉２と親扉３は、図１に示すように、開口Ｏを閉塞させる閉塞位置にある状態で、扉幅方向に沿って隣接するように配置される。
【００２８】
子扉２、親扉３は、図２に示すように、水平方向に沿った断面視（言い換えれば水平方向に沿った平面視）において、ともに一方の端部が基端部（吊元部）２ａ，３ａをなし、他方の端部が先端部２ｂ、３ｂをなす。子扉２は、後述するように、召し合わせ止水部材７０を介して、親扉３の召し合わせ用保持部材５７よりも屋内空間側にて親扉３と重なるため、子扉２は、一対の扉体２，３のうち開口Ｏを閉塞する際に先きに開口Ｏを閉塞するように回動される扉体である。子扉２は、基端部２ａが蝶番等の支持部材２ｃによって一方の縦枠部材４１に回動可能に支持される。支持部材２ｃは、子扉２の基端部２ａを、縦枠部材４１における開放時回動方向側の端部に回動可能に支持する。支持部材２ｃは、子扉２の基端部２ａを、鉛直方向に沿った図示しない回動中心軸線を回動中心として回動可能に支持する。
【００２９】
親扉３は、一対の扉体２，３のうち開口Ｏを閉塞する際に後に開口Ｏを閉塞するように回動される扉体である。親扉３は、基端部３ａが蝶番等の支持部材３ｃによって他方の縦枠部材４１に回動可能に支持される。支持部材３ｃは、親扉３の基端部３ａを、縦枠部材４１における開放時回動方向側の端部に回動可能に支持する。支持部材３ｃは、親扉３の基端部３ａを、鉛直方向に沿った図示しない回動中心軸線を回動中心として回動可能に支持する。
【００３０】
したがって、子扉２及び親扉３は、それぞれ回動中心軸線を回動中心として、開口Ｏを閉塞させる閉塞位置（図１及び図２参照）と、開口Ｏを開放させる開放位置とに回動可能となる。本実施形態の扉体２，３は、開口Ｏを閉塞させる場合には、子扉２を閉塞位置に回動した後に親扉３を閉塞位置に回動する。そして、この扉体２，３は、子扉２と親扉３とが閉塞位置にある状態で子扉２の先端面２ｄ（親扉３寄りの縁に相当）と親扉３の先端面３ｄ（子扉２寄りの縁に相当）とが対向する。子扉２及び親扉３は、閉塞位置から開放位置側に回動されることで、屋外空間側に進出し開口Ｏを開放する。なお、以下の説明では、「扉体２，３が開口Ｏを閉塞させる閉塞位置にある状態」という場合、子扉２と親扉３との双方が閉塞位置にある状態であるものとして説明する。
【００３１】
また、子扉２の先端面２ｄには、鉛直方向の全長に亘って当たり部５０が設けられている。即ち、止水扉１は、当たり部５０を備えている。扉体２，３が開口Ｏを閉塞させる閉塞位置にある状態で、当たり部５０は、子扉２の先端面２ｄの屋内空間側の縁から親扉３の先端面３ｄに向かって突出した板状に形成されている。扉体２，３が開口Ｏを閉塞させる閉塞位置にある状態で、当たり部５０は、鉛直方向の上下両端部が枠状止水部材６０の上側止水ゴム６３及び下側止水ゴム６４の中央部の屋外空間側に重ねられる。当たり部５０は、止水のみを考慮するならば、鉛直方向の全長ではなく、下方の所定範囲のみ、すなわち、止水扉１の高さ方向に増水すると想定している範囲である下方にのみ設けてもよい。また、同様の観点では、召し合わせ止水部材７０についても下方の所定範囲にのみ存在してもよい。なお、気密性等も合わせて考慮すれば、鉛直方向の全長に亘って設けられていることが好ましい。
【００３２】
子扉２の当たり部５０の鉛直方向の中央部には、扉体２，３が開口Ｏを閉塞させる閉塞位置にある状態で、屋内空間側に突出するロック用突起５１が設けられている。また、子扉２の屋内空間側の表面には、子扉２を開閉するための開閉用ノブ５２が固定されている。
【００３３】
また、親扉３には、扉体２，３を閉塞位置でロックするロック用ノブ５３が設けられる。また、ロック用ノブ５３は、親扉３の屋内空間側の表面上と屋外空間側の表面上の双方に互いに連動するように回動自在に設けられている。また、屋内空間側のロック用ノブ５３には、ロック用突起５１に乗り上がることが可能なロック部５４が設けられている。ロック用ノブ５３は、親扉３が開口Ｏを開閉する際には、ロック部５４がロック用突起５１に干渉しない位置に位置付けられる。ロック用ノブ５３は、親扉３が閉塞位置にある状態で回動されてロック部５４がロック用突起５１上に乗り上がることで、扉体２，３を閉塞位置でロックする。
【００３４】
枠状止水部材６０は、扉体２，３が閉塞位置にある状態で開口Ｏを止水するものである。枠状止水部材６０は、扉体２，３が閉塞位置にある状態で、扉体２，３が枠体４に押し付けられる押付方向Ｐにおいて当該枠体４と当該扉体２，３との間に介在する。枠状止水部材６０は、枠体４に取り付けられる。ここで、扉体２，３が枠体４に押し付けられる押付方向Ｐとは、典型的には、扉体２，３に対して屋外空間側から水圧が作用した際に当該水圧による押し付け力が作用する方向であり、第１空間側（例えば、屋外空間側）から第２空間側（例えば、屋内空間側）に向う方向である。本実施形態では、押付方向Ｐは、閉塞位置にある扉体２，３の扉表面材と直交する方向で屋内空間側に向う方向に相当する。
【００３５】
本実施形態の枠状止水部材６０は、一方の縦側止水ゴム６１、他方の縦側止水ゴム６２、上側止水ゴム６３、及び、下側止水ゴム６４を含んで構成される。一方の縦側止水ゴム６１、他方の縦側止水ゴム６２、上側止水ゴム６３、及び、下側止水ゴム６４は、所定の弾性を有するゴムで構成され、例えば、独立気泡型の樹脂（止水ゴム）材や気泡を有しない柔らかめの樹脂等で構成される。一方の縦側止水ゴム６１、他方の縦側止水ゴム６２、上側止水ゴム６３、及び、下側止水ゴム６４は、扉体２，３が閉塞位置にある状態で枠体４と扉体２，３との間に介在し、当該枠体４と扉体２，３との間を封止（シール）して流体の通過を防止する。さらに言えば、一方の縦側止水ゴム６１、他方の縦側止水ゴム６２、上側止水ゴム６３、及び、下側止水ゴム６４は、扉体２，３の閉塞位置側への回動に応じて枠体４と扉体２，３との間で弾性変形し、枠体４と扉体２，３とに密着し、当該枠体４と当該扉体２，３との間を密閉する。
【００３６】
一方の縦側止水ゴム６１、他方の縦側止水ゴム６２は、鉛直方向に沿って設けられる一対の鉛直部材である。上側止水ゴム６３、下側止水ゴム６４は、水平方向に沿って設けられる一対の水平部材である。一方の縦側止水ゴム６１、他方の縦側止水ゴム６２、上側止水ゴム６３、及び、下側止水ゴム６４は、棒状の部材として形成される。
【００３７】
より詳細には、一方の縦側止水ゴム６１は、一方の縦枠部材４１の保持部４４内に収容、保持される。他方の縦側止水ゴム６２は、他方の縦枠部材４１の保持部４４内に収容、保持される。上側止水ゴム６３は、上枠部材４２の保持部４４内に収容、保持される。下側止水ゴム６４は、下枠部材４３の保持部４４内に収容、保持される。一方の縦側止水ゴム６１、他方の縦側止水ゴム６２、上側止水ゴム６３、及び、下側止水ゴム６４は、各保持部４４内で、各端部が水密状態（密着状態）となるように連続的に連結されている。一方の縦側止水ゴム６１、他方の縦側止水ゴム６２、上側止水ゴム６３、及び、下側止水ゴム６４によって構成される枠状止水部材６０は、全体として枠体４に対応した枠状のロの字型形状に構成される。
【００３８】
召し合わせ止水部材７０は、扉体２，３が閉塞位置にある状態で、親扉３の先端面３ｄと子扉２の先端面２ｄとの間に介在し、親扉３の先端面３ｄと子扉２の先端面２ｄとの間を封止（シール）して流体の通過を防止するものである。さらに言えば、召し合わせ止水部材７０は、扉体２，３の閉塞位置側への回動に応じて、親扉３の先端面３ｄと子扉２の当たり部５０との間で弾性変形し先端面３ｄと当たり部５０とに密着し、当該先端面２ｄ，３ｄ間を密閉するものである。つまり、召し合わせ止水部材７０は、子扉２と親扉３との召し合わせ部分の隙間に介在する。このように、召し合わせ止水部材７０は、扉体２，３が開口Ｏを閉塞させる閉塞位置にある状態で、枠状止水部材６０の上側止水ゴム６３及び下側止水ゴム６４と当たり部５０との双方に重ねられるとともに、当たり部５０から押圧されて弾性変形することで、先端面２ｄ，３ｄ間を密閉する。
【００３９】
召し合わせ止水部材７０は、所定の弾性を有するゴムで構成され、例えば、独立気泡型の樹脂（止水ゴム）材や気泡を有しない柔らかめの樹脂等で構成される。召し合わせ止水部材７０は、矩形柱状の棒状の部材として形成され、鉛直方向に沿って親扉３の先端面３ｄに設けられた召し合わせ用保持部５７に収容される。召し合わせ用保持部５７は、先端面３ｄの屋内空間側の端から扉幅方向に凹形状に形成され、親扉３の先端面３ｄの鉛直方向の全長に亘って設けられている。このために、召し合わせ止水部材７０は、親扉３の先端面３ｄの鉛直方向の全長に亘って設けられている。また、本発明では、召し合わせ止水部材７０は、当たり部５０の屋外空間側の表面上に、当たり部５０の鉛直方向の全長に亘って設けられてもよい。召し合わせ止水部材７０は、当たり部５０における、親扉３と対向し重なる位置に設けられていてもよい。
【００４０】
なお、枠状止水部材６０と、召し合わせ止水部材７０は、硬度が等しく形成され、本実施形態では、硬度が１〜３０までの発砲ゴムで構成されている。なお、本発明でいう硬度とは、ＪＩＳ（日本工業規格）Ｋ６２５３−１〜５で定められた数値をいう。
【００４１】
補助止水部材８０は、扉体２，３が開口Ｏを閉塞させる閉塞位置にある状態で枠状止水部材６０の上側止水ゴム６３及び下側止水ゴム６４の中央部と当たり部５０の上下両端部と召し合わせ止水部材７０の上下両端部との間に介在し、これらの間に生じる隙間を埋めて、これらの間を封止（シール）して流体の通過を防止するものである。さらに言えば、補助止水部材８０は、扉体２，３の閉塞位置側への回動に応じて、枠状止水部材６０の上側止水ゴム６３及び下側止水ゴム６４の中央部と当たり部５０の上下両端部と召し合わせ止水部材７０の上下両端部との間で弾性変形し、これらに密着し、これらの間を密閉するものである。つまり、補助止水部材８０は、子扉２と親扉３との召し合わせ部分の上下両端部の隙間に介在する。
【００４２】
補助止水部材８０は、所定の弾性を有するゴムで構成され、例えば、独立気泡型の樹脂（止水ゴム）材や気泡を有しない柔らかめの樹脂等で構成される。補助止水部材８０は、四角柱状に形成され、本実施形態では、枠状止水部材６０の上側止水ゴム６３の屋外空間側の表面の長手方向の中央部と、下側止水ゴム６４の屋外空間側の表面の長手方向の中央部とのそれぞれに取り付けられている。また、補助止水部材８０は、扉体２，３が開口Ｏを閉塞する閉塞位置にある状態で、図４中に二点鎖線で示すように、当たり部５０の上下両端部と召し合わせ止水部材７０の上下両端部との双方に当接可能な位置に設けられている。補助止水部材８０は、止水のみを考慮するならば、下側止水ゴム６４に設けられていて、上側止水ゴム６３には設けられていなくてもよい。すなわち、止水扉１の高さ方向に増水しても上側止水ゴム６３までは達しないと想定していれば上側止水ゴム６３は設けられていなくてもよい。なお、気密性等も合わせて考慮すれば、上側止水ゴム６３にも設けられていることが好ましい。また、補助止水部材８０は、当たり部５０に取り付けてもよい。
【００４３】
なお、補助止水部材８０は、枠状止水部材６０と召し合わせ止水部材７０との双方よりも柔らかい弾性を有するゴムで構成され、本実施形態では、硬度が１〜３０までの発砲ゴムで構成されている。なお、使用上において支障がなければ、補助止水部材８０は召し合わせ止水部材７０等よりも柔らかくなくてもよく、例えば、召し合わせ止水部材７０と同じ硬度でもよく、召し合わせ止水部材７０と一体化して設けてもよい。
【００４４】
上記のように構成される止水扉１は、子扉２を開放位置から閉塞位置に回動した後に親扉３を開放位置から閉塞位置に回動し、ロック用ノブ５３を回転して、一対の扉体２，３を閉塞位置でロックすることで、扉体２，３全体が閉塞位置に位置し、開口Ｏを閉塞させる。これにより、この止水扉１は、枠状止水部材６０によって枠体４と扉体２，３との間を密閉し、召し合わせ止水部材７０によって親扉３の先端面３ｄと、子扉２の先端面２ｄとの間を密閉し、補助止水部材８０によって枠状止水部材６０と当たり部５０と召し合わせ止水部材７０との間を密閉することができる。つまり、止水扉１は、枠状止水部材６０と召し合わせ止水部材７０などが一体となって連続して閉じたシール部位を構成し、開口Ｏを密閉することができる。
【００４５】
また、止水扉１は、開放位置にある状態の一対の扉体２，３を閉塞位置に回動した際の補助止水部材８０などの変形状況を図５〜図７を参照して説明する。なお、図５は、実施形態に係る止水扉の子扉と親扉が開放位置にある状態の補助止水部材などを示す断面図である。図６は、図５に示された止水扉の子扉が閉塞位置にある状態の補助止水部材などを示す断面図である。図７は、図６中のＶＩＩ部を拡大して示す断面図である。
【００４６】
一対の扉体２，３が開放位置にある状態では、補助止水部材８０は、図５に示すように、弾性変形せずに四角柱状をなしている。そして、子扉２が閉塞位置まで回動されると、図６に示すように、当たり部５０の上下両端部が補助止水部材８０の子扉２寄りの一端部に当接する。そして、図７に示すように、当たり部５０の上下両端部が補助止水部材８０の子扉２寄りの一端部を押しつぶすとともに、補助止水部材８０の弾性復元力により補助止水部材８０が当たり部５０の上下両端部に密着する。その後、親扉３が閉塞位置まで回動されると、図３に示すように、召し合わせ止水部材７０の上下両端部が枠状止水部材６０の上側止水ゴム６３及び下側止水ゴム６４に密着し、かつ召し合わせ止水部材７０が当たり部５０に当接して弾性変形する。そして、召し合わせ止水部材７０は、弾性復元力を生じて当たり部５０に密着する。また、親扉３が閉塞位置まで回動されると、召し合わせ止水部材７０の上下両端部が補助止水部材８０の親扉３寄りの他端部に当接する。そして、図４に示すように、召し合わせ止水部材７０の上下両端部が補助止水部材８０の親扉３寄りの他端部を押しつぶすとともに、補助止水部材８０の弾性復元力により補助止水部材８０が召し合わせ止水部材７０の上下両端部に密着する。
【００４７】
上記のように構成される止水扉１は、水圧が作用していない初期状態に対して、屋外空間側から水圧が作用する水圧状態では、扉体２，３の戸先側が水圧によって屋内空間側、言い換えれば、枠体４側に押し込まれることとなる。一方、水圧状態とは、扉体２，３に対して屋外空間側から所定の大きさの水圧が作用している状態である。水圧状態では、止水扉１は、扉体２，３に対して屋外空間側から水圧が作用すると、一方の縦側止水ゴム６１、他方の縦側止水ゴム６２や上側止水ゴム６３、下側止水ゴム６４の戸先側が枠体４と扉体２，３との間で押付方向Ｐに十分に押しつぶされるとともに、召し合わせ止水部材７０、補助止水部材８０などが子扉２と親扉３との間で押付方向Ｐに十分に押しつぶされて、適正な止水性能を確保することができる。
【００４８】
以上で説明した実施形態に係る止水扉１によれば、一対の扉体２，３が閉塞位置にある状態で、枠状止水部材６０と当たり部５０と召し合わせ止水部材７０との間に介在する補助止水部材８０を備えているので、一対の扉体２，３が閉塞位置にある状態で、枠状止水部材６０と当たり部５０と召し合わせ止水部材７０などから押圧されて補助止水部材８０が弾性変形する。そして、止水扉１は、補助止水部材８０の弾性復元力により、補助止水部材８０が枠状止水部材６０と当たり部５０と召し合わせ止水部材７０などに密着して、枠状止水部材６０と当たり部５０と召し合わせ止水部材７０などの間に隙間が生じることを抑制することができる。したがって、止水扉１は、一対の扉体２，３を備えていても、止水性能を向上することができる。
【００４９】
また、止水扉１は、補助止水部材８０を枠状止水部材６０に設けているので、一対の扉体２，３が開口Ｏを閉塞する際に、補助止水部材８０上に当たり部５０及び召し合わせ止水部材７０が重なることとなる。このために、補助止水部材８０が枠状止水部材６０と当たり部５０と召し合わせ止水部材７０との間に隙間が生じることを抑制することができる。
【００５０】
さらに、止水扉１は、補助止水部材８０が枠状止水部材６０よりも変形しやすいので、枠状止水部材６０と当たり部５０と召し合わせ止水部材７０とから押圧されると補助止水部材８０が弾性変形して、枠状止水部材６０と当たり部５０と召し合わせ止水部材７０との間に隙間が生じることをより抑制することができる。
【００５１】
［変形例］
実施形態の変形例に係る止水扉１−１を図８を参照して説明する。図８は、実施形態の変形例に係る止水扉の補助止水部材などを示す断面図である。なお、図８において、前述した実施形態と同一部分には、同一符号を付して説明を省略する。
【００５２】
実施形態の変形例に係る止水扉１−１では、図８に示すように、補助止水部材８０は、召し合わせ止水部材７０の上下両端部それぞれに取り付けられている。また、変形例に係る止水扉１−１では、補助止水部材８０は、当たり部５０の上下両端部と、枠状止水部材６０の上側止水ゴム６３の中央部及び下側止水ゴム６４の中央部との双方に当接可能な位置に設けられている。
【００５３】
実施形態の変形例に係る止水扉１−１は、前述した実施形態と同様に、一対の扉体２，３が閉塞位置にある状態で、枠状止水部材６０と当たり部５０と召し合わせ止水部材７０などの間に隙間が生じることを抑制することができ、一対の扉体２，３を備えていても、止水性能を向上することができる。また、変形例に係る止水扉１−１は、補助止水部材８０を召し合わせ止水部材７０に設けているので、一対の扉体２，３が開口Ｏを閉塞する際に、補助止水部材８０が枠状止水部材６０及び当たり部５０上に重ねられることとなる。したがって、止水扉１は、補助止水部材８０が枠状止水部材６０と当たり部５０と召し合わせ止水部材７０との間に隙間が生じることを抑制することができる。
【００５４】
また、前述した実施形態では、補助止水部材８０が枠状止水部材６０に取り付けられ、変形例では、補助止水部材８０が召し合わせ止水部材７０に取り付けられている。しかしながら、本発明では、補助止水部材８０が、枠状止水部材６０と召し合わせ止水部材７０との双方に取り付けられてもよい。要するに、本発明では、補助止水部材８０が、枠状止水部材６０と召し合わせ止水部材７０とのうちの少なくとも一方に取り付けられればよい。また、本発明では、止水扉１，１−１は、一対の扉２，３を備えることなく、例えば、子扉２のみ備え、親扉３に相当する部分が例えば躯体や枠体などであって固定されて、回動しなくてもよい。また、本発明では、使用上、支障がなければ、召し合わせ止水部材７０は存在するが、補助止水部材８０は存在せずに空間部が残っていてもよい。
【００５５】
なお、上述した本発明の実施形態に係る止水扉は、上述した実施形態、変形例に限定されず、特許請求の範囲に記載された範囲で種々の変更が可能である。
【符号の説明】
【００５６】
１，１−１    止水扉
２    子扉（一方の扉体）
３    親扉（他方の扉体）
４    枠体
５０    当たり部
６０    枠状止水部材
７０    召し合わせ止水部材
８０    補助止水部材
Ｓ    構造物
Ｏ    開口
Ｐ    押付方向
【図１】
2015175088.tif 000003
【図２】
2015175088.tif 000004
【図３】
2015175088.tif 000005
【図４】
2015175088.tif 000006
【図５】
2015175088.tif 000007
【図６】
2015175088.tif 000008
【図７】
2015175088.tif 000009
【図８】
2015175088.tif 000010